(57)【要約】【課題】アクセス解析対象ＷＥＢページ（解析タグを設けたＷＥＢページを含むアクセス解析の対象となるＷＥＢページ）に適切な広告を掲載できる広告配信サーバを提供することにある。【解決手段】検索ワード集計ファイル及び広告ファイルにアクセス可能で、ユーザ端末がアクセス解析対象ＷＥＢページを表示する場合にこのアクセス解析対象ＷＥＢページのＷＥＢページ特定情報を取得する広告配信サーバであって、広告配信サーバは、ユーザ端末と通信する通信部と、取得したＷＥＢページ特定情報を用いて検索ワード集計ファイルから対応する検索ワード情報を取り出し、取り出した検索ワード情報を用いて広告ファイルから対応する広告を読み出し、読み出した広告を通信部によりユーザ端末に配信する第一の処理を行う制御部とを備える。【選択図】図５
2008009582.tif 000002
【特許請求の範囲】
【請求項１】
検索ワード集計ファイル及び広告ファイルにアクセス可能で、ユーザ端末がアクセス解析対象ＷＥＢページを表示する場合にこのアクセス解析対象ＷＥＢページのＷＥＢページ特定情報を取得する広告配信サーバであって、
前記検索ワード集計ファイルはアクセス解析対象ＷＥＢページに関する検索ワードを集計した集計結果をＷＥＢページ特定情報に関連付けて記録したファイルであり、
前記広告ファイルは広告を検索ワード条件に関連付けて記録したファイルであり、
前記広告配信サーバは、
前記ユーザ端末と通信する通信部と、
取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信する第一の処理を行う制御部とを備えることを特徴とする広告配信サーバ。
【請求項２】
広告ファイルにアクセス可能で、ユーザ端末がアクセス解析対象ＷＥＢページを表示する場合にこのアクセス解析対象ＷＥＢページに関する検索ワード情報を取得する広告配信サーバであって、
前記広告ファイルは広告を検索ワード条件に関連付けて記録したファイルであり、
前記広告配信サーバは、
前記ユーザ端末と通信する通信部と、
取得した前記検索ワード情報を用いて前記広告ファイルから対応する広告を読み出し、読み出した広告を前記通信部により前記ユーザ端末に配信する第一の処理を行う制御部とを備えることを特徴とする広告配信サーバ。
【請求項３】
請求項１又は２記載の広告配信サーバにおいて、
前記制御部は、
予め前記ユーザ端末の記憶部にクッキーとして保存された検索ワード情報を前記ユーザ端末から前記通信部により受信し、
受信した前記検索ワード情報を用いて広告ファイルから対応する広告を読み出し、
読み出した広告を前記通信部により前記ユーザ端末に配信する第二の処理をさらに行うことを特徴とするもの。
【請求項４】
請求項３記載の広告配信サーバにおいて、
前記制御部は、
前記第一の処理を行えない場合に前記第二の処理を行うことを特徴とするもの。
【請求項５】
検索ワード集計ファイル及び広告ファイルにアクセス可能で、ユーザ端末がアクセス解析対象ＷＥＢページを表示する場合にこのアクセス解析対象ＷＥＢページのＷＥＢページ特定情報及びこのアクセス解析対象ＷＥＢページに関する検索ワード情報を取得する広告配信サーバであって、
前記検索ワード集計ファイルはアクセス解析対象ＷＥＢページに関する検索ワードを集計した集計結果をＷＥＢページ特定情報に関連付けて記録したファイルであり、
前記広告ファイルは広告を検索ワード条件に関連付けて記録したファイルであり、
前記広告配信サーバは、
前記ユーザ端末と通信する通信部と、
取得した前記検索ワード情報を用いて前記広告ファイルから対応する広告を読み出す第一の処理、
取得した前記ＷＥＢページ特定情報を用いて前記検索ワード集計ファイルから対応する検索ワード情報を取り出し、取り出した検索ワード情報を用いて広告ファイルから対応する広告を読み出す第二の処理、
及び前記第一の処理及び又は前記第二の処理で読み出した広告を前記通信部により前記ユーザ端末に配信する第三の処理を行う制御部とを備えることを特徴とする広告配信サーバ。
【請求項６】
請求項５記載の広告配信サーバにおいて、
前記制御部は、
前記第一の処理が出来ない場合に、前記第二の処理及び第三の処理で広告を配信することを特徴とするもの。
【請求項７】
請求項５又は６記載の広告配信サーバにおいて、
前記制御部は、
前記通信部により前記ユーザ端末から予め前記ユーザ端末の記憶部にクッキーとして保存された検索ワード情報を受信し、受信した検索ワード情報を用いて前記広告ファイルから対応する広告を読み出す第四の処理をさらに行い、
前記第三の処理は、
前記第一、第二、及び第四の処理のいずれか少なくとも一つの処理で読み出した広告を前記通信部により前記ユーザ端末に配信する処理であることを特徴とするもの。
【請求項８】
請求項７記載の広告配信サーバにおいて、
前記制御部は、
前記第一乃至第二の処理が出来ない場合に、前記第三の処理及び第四の処理で広告を配信することを特徴とするもの。
【請求項９】
請求項３、４、７又は８記載の広告配信サーバにおいて、
前記クッキーとして保存された検索ワードは、前記広告配信サーバの制御部が前記通信部により前記ユーザ端末に送信したものであることを特徴とするもの。
【請求項１０】
ユーザ端末と通信可能で、アクセス解析対象ＷＥＢページに関する検索ワードを集計した集計結果をＷＥＢページ特定情報に関連付けて記録した検索ワード集計ファイルにアクセス可能で、広告を検索ワード条件に関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバに処理を行わせる広告配信プログラムであって、
取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信する処理を行わせることを特徴とする広告配信プログラム。
【請求項１１】
ユーザ端末と通信可能で、広告を検索ワード条件に関連付けて記録した広告ファイルにアクセス可能で、かつユーザ端末がアクセス解析対象ＷＥＢページを表示する場合にこのアクセス解析対象ＷＥＢページに関する検索ワード情報を取得する広告配信サーバに処理を行わせる広告配信プログラムであって、
取得した前記検索ワード情報を用いて前記広告ファイルから対応する広告を読み出し、読み出した広告を前記ユーザ端末に配信する処理を行わせることを特徴とする広告配信プログラム。
【請求項１２】
ユーザ端末と通信可能で、アクセス解析対象ＷＥＢページに関する検索ワードを集計した集計結果をＷＥＢページ特定情報に関連付けて記録した検索ワード集計ファイルにアクセス可能で、広告を検索ワード条件に関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバが行う広告配信方法であって、
取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記ユーザ端末に配信することを特徴とする広告配信方法。
【請求項１３】
ユーザ端末と通信可能で、広告を検索ワード条件に関連付けて記録した広告ファイルにアクセス可能で、かつユーザ端末がアクセス解析対象ＷＥＢページを表示する場合にこのアクセス解析対象ＷＥＢページに関する検索ワード情報を取得する広告配信サーバが行う広告配信方法であって、
取得した前記検索ワード情報を用いて前記広告ファイルから対応する広告を読み出し、読み出した広告を前記通信部により前記ユーザ端末に配信することを特徴とする広告配信方法。
【請求項１４】
広告ファイルにアクセス可能で、ユーザ端末がアクセス解析対象ＷＥＢページを表示する場合にこのアクセス解析対象ＷＥＢページのＷＥＢページ特定情報を取得する広告配信サーバであって、
前記広告ファイルは、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録したファイルであり、
前記ユーザ端末と通信する通信部と、
取得した前記ＷＥＢページ特定情報を用いて前記広告ファイルから広告を読み出し、読み出した広告を前記通信部により前記ユーザ端末に配信する処理を行う制御部とを備えることを特徴とする広告配信サーバ。
【請求項１５】
ユーザ端末と通信可能で、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバに処理を行わせる広告配信プログラムであって、
取得した前記ＷＥＢページ特定情報を用いて前記広告ファイルから広告を読み出し、読み出した広告を前記ユーザ端末に配信する処理を行わせることを特徴とする広告配信プログラム。
【請求項１６】
ユーザ端末と通信可能で、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバが行う広告配信方法であって、
取得した前記ＷＥＢページ特定情報を用いて前記広告ファイルから広告を読み出し、読み出した広告を前記ユーザ端末に配信することを特徴とする広告配信方法。
【請求項１７】
広告ファイルにアクセス可能な広告配信サーバであって、
前記広告ファイルは、広告を検索ワード条件に関連付けて記録したファイルであり、
前記ユーザ端末と通信する通信部と、
ユーザ端末がアクセス解析対象ＷＥＢページを表示する場合に予め前記ユーザ端末の記憶部にクッキーとして記録された検索ワード情報を前記通信部により受信し、受信した検索ワード情報を用いて広告ファイルから対応する広告を読み出し、読み出した広告を前記通信部により前記ユーザ端末に配信する処理を行う制御部とを備えることを特徴とする広告配信サーバ。
【請求項１８】
ユーザ端末と通信可能で、広告を検索ワード条件に関連付けて記録した広告ファイルにアクセス可能で、かつユーザ端末がアクセス解析対象ＷＥＢページを表示する場合に予め前記ユーザ端末の記憶部にクッキーとして記録された検索ワード情報を取得する広告配信サーバに処理を行わせる広告配信プログラムであって、
取得した前記検索ワード情報を用いて広告ファイルから対応する広告を読み出し、読み出した広告を前記ユーザ端末に配信する処理を行わせることを特徴とする広告配信プログラム。
【請求項１９】
ユーザ端末と通信可能で、広告を検索ワード条件に関連付けて記録した広告ファイルにアクセス可能で、かつユーザ端末がアクセス解析対象ＷＥＢページを表示する場合に予め前記ユーザ端末の記憶部にクッキーとして記録された検索ワード情報を取得する広告配信サーバが行う広告配信方法であって、
取得した前記検索ワード情報を用いて広告ファイルから対応する広告を読み出し、読み出した広告を前記ユーザ端末に配信することを特徴とする広告配信方法。
【請求項２０】
ユーザ端末と、検索ワード集計ファイル及び広告ファイルにアクセス可能で前記ユーザ端末がアクセス解析対象ＷＥＢページを表示する場合にこのアクセス解析対象ＷＥＢページのＷＥＢページ特定情報を取得するように構成した広告配信サーバとを備える広告配信システムであって、
前記検索ワード集計ファイルはアクセス解析対象ＷＥＢページに関する検索ワードを集計した集計結果をＷＥＢページ特定情報に関連付けて記録したファイルであり、
前記広告ファイルは広告を検索ワード条件に関連付けて記録したファイルであり、
前記広告配信サーバは、
前記ユーザ端末と通信する通信部と、
取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信する処理を行う制御部とを備え、
前記ユーザ端末は、
広告配信サーバと通信する通信部と、
前記アクセス解析対象ＷＥＢページ及び広告を表示する表示部と、
前記アクセス解析対象ＷＥＢページと前記通信部により受信した広告とを前記表示部に表示する処理を行う制御部とを備えることを特徴とする広告配信システム。
【請求項２１】
ユーザ端末と、ユーザ端末と通信可能で、アクセス解析対象ＷＥＢページに関する検索ワードを集計した集計結果をＷＥＢページ特定情報に関連付けて記録した検索ワード集計ファイルにアクセス可能で、広告を検索ワード条件に関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバとが行う広告配信方法であって、
前記広告配信サーバは、
取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信し、
前記ユーザ端末は、
前記アクセス解析対象ＷＥＢページと前記広告配信サーバから受信した広告とを表示することを特徴とする広告配信方法。
【請求項２２】
ユーザ端末と、広告ファイルにアクセス可能で、ユーザ端末がアクセス解析対象ＷＥＢページを表示する場合にこのアクセス解析対象ＷＥＢページに関する検索ワード情報を取得するように構成した広告配信サーバとを備える広告配信システムであって、
前記広告ファイルは、広告を検索ワード条件に関連付けて記録したファイルであり、
前記ユーザ端末と通信する通信部と、
取得した前記検索ワード情報を用いて前記広告ファイルから対応する広告を読み出し、読み出した広告を前記通信部により前記ユーザ端末に配信する処理を行う制御部とを備え、
前記ユーザ端末は、
広告配信サーバと通信する通信部と、
前記アクセス解析対象ＷＥＢページ及び広告を表示する表示部と、
前記アクセス解析対象ＷＥＢページと前記通信部により受信した広告とを前記表示部に表示する処理を行う制御部とを備えることを特徴とする広告配信システム。
【請求項２３】
ユーザ端末と、ユーザ端末と通信可能で、広告を検索ワード条件に関連付けて記録した広告ファイルにアクセス可能で、かつユーザ端末がアクセス解析対象ＷＥＢページを表示する場合にこのアクセス解析対象ＷＥＢページに関する検索ワード情報を取得する広告配信サーバとが行う広告配信方法であって、
前記広告配信サーバは、
取得した前記検索ワード情報を用いて前記広告ファイルから対応する広告を読み出し、読み出した広告を前記ユーザ端末に配信し、
前記ユーザ端末は、
前記アクセス解析対象ＷＥＢページと前記広告配信サーバから受信した広告とを表示することを特徴とする広告配信方法。
【発明の詳細な説明】
【技術分野】
【０００１】
本発明は、ネットワークを介して広告配信するための広告配信サーバ、広告配信プログラム、広告配信方法、及び広告配信システムに関する。
【背景技術】
【０００２】
現在、ＷＥＢページに解析タグを提供するかわりに、解析タグを提供するＷＥＢページに広告を掲載してもらう広告方法が行われている。しかし、現在、適切な広告をＷＥＢページに掲載しているとはいい難かった。解析タグは、例えばＷＥＢページのＨＴＭＬ文書等の中に組み込まれる。
【０００３】
一方、特許文献１には、端末装置と、要求された情報を検索して提供するサーバとを有する情報検索装置において、上記サーバに設けられ、広告情報が格納されている広告データベースと；上記端末装置から入力された検索式に関連する関連広告情報を、上記広告データベースから検索する広告検索手段と；上記端末装置から要求された情報と上記関連広告情報とを合成する情報合成手段と；上記合成された情報を要求元の端末装置に送信する検索結果送信手段と；を有することを特徴とする情報検索装置が開示されている（請求項１参照）。
【０００４】
特許文献１によると、利用者が入力した検索式に基づいて、多数の広告の中から、提示・表示すべき広告を選択的に出力するので、アクセスした利用者が興味を持つ可能性が高い広告情報を適切に提示・表示することができ、宣伝効果を上げることができる（発明の効果参照）。
【０００５】
【特許文献１】特開平１１−３２８２１９
【発明の開示】
【発明が解決しようとする課題】
【０００６】
しかし、特許文献１では、検索式に基づいて広告を表示できるのは、検索結果を表示するＷＥＢページ上に限られる。このため、特許文献１を上記広告方法には適用できない。
【０００７】
また、解析タグを設けたＷＥＢページに限らず、アクセス解析の対象となるその他のＷＥＢページに広告を掲載してもらう新たな広告方法も考えられる。この場合にも、このＷＥＢページに適切な広告を掲載できることが望ましい。
【０００８】
本発明は上記点に鑑みてなされたものであり、アクセス解析対象ＷＥＢページ（解析タグを設けたＷＥＢページを含むアクセス解析の対象となるＷＥＢページ）に適切な広告を掲載できる広告配信サーバ、広告配信プログラム、広告配信方法、及び広告配信システムを提供することにある。
【課題を解決するための手段】
【０００９】
上記課題を解決するため、請求項１記載の広告配信サーバは、検索ワード集計ファイル及び広告ファイルにアクセス可能で、ユーザ端末がアクセス解析対象ＷＥＢページを表示する場合にこのアクセス解析対象ＷＥＢページのＷＥＢページ特定情報を取得する広告配信サーバであって、前記検索ワード集計ファイルはアクセス解析対象ＷＥＢページに関する検索ワードを集計した集計結果をＷＥＢページ特定情報に関連付けて記録したファイルであり、前記広告ファイルは広告を検索ワード条件に関連付けて記録したファイルであり、前記広告配信サーバは、前記ユーザ端末と通信する通信部と、取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信する第一の処理を行う制御部とを備えることを特徴とする。
【００１０】
上記課題を解決するため、請求項２記載の広告配信サーバは、広告ファイルにアクセス可能で、ユーザ端末がアクセス解析対象ＷＥＢページを表示する場合にこのアクセス解析対象ＷＥＢページに関する検索ワード情報を取得する広告配信サーバであって、前記広告ファイルは広告を検索ワード条件に関連付けて記録したファイルであり、前記広告配信サーバは、前記ユーザ端末と通信する通信部と、取得した前記検索ワード情報を用いて前記広告ファイルから対応する広告を読み出し、読み出した広告を前記通信部により前記ユーザ端末に配信する第一の処理を行う制御部とを備えることを特徴とする。
【００１１】
上記課題を解決するため、請求項３記載の広告配信サーバは、請求項１又は２記載の広告配信サーバにおいて、前記制御部は、予め前記ユーザ端末の記憶部にクッキーとして保存された検索ワード情報を前記ユーザ端末から前記通信部により受信し、受信した前記検索ワード情報を用いて広告ファイルから対応する広告を読み出し、読み出した広告を前記通信部により前記ユーザ端末に配信する第二の処理をさらに行うことを特徴とする。
【００１２】
上記課題を解決するため、請求項４記載の広告配信サーバは、請求項３記載の広告配信サーバにおいて、前記制御部は、前記第一の処理を行えない場合に前記第二の処理を行うことを特徴とする。
【００１３】
上記課題を解決するため、請求項５記載の広告配信サーバは、検索ワード集計ファイル及び広告ファイルにアクセス可能で、ユーザ端末がアクセス解析対象ＷＥＢページを表示する場合にこのアクセス解析対象ＷＥＢページのＷＥＢページ特定情報及びこのアクセス解析対象ＷＥＢページに関する検索ワード情報を取得する広告配信サーバであって、前記検索ワード集計ファイルはアクセス解析対象ＷＥＢページに関する検索ワードを集計した集計結果をＷＥＢページ特定情報に関連付けて記録したファイルであり、前記広告ファイルは広告を検索ワード条件に関連付けて記録したファイルであり、前記広告配信サーバは、前記ユーザ端末と通信する通信部と、取得した前記検索ワード情報を用いて前記広告ファイルから対応する広告を読み出す第一の処理、取得した前記ＷＥＢページ特定情報を用いて前記検索ワード集計ファイルから対応する検索ワード情報を取り出し、取り出した検索ワード情報を用いて広告ファイルから対応する広告を読み出す第二の処理、及び前記第一の処理及び又は前記第二の処理で読み出した広告を前記通信部により前記ユーザ端末に配信する第三の処理を行う制御部とを備えることを特徴とする。
【００１４】
上記課題を解決するため、請求項６記載の広告配信サーバは、請求項５記載の広告配信サーバにおいて、前記制御部は、前記第一の処理が出来ない場合に、前記第二の処理及び第三の処理で広告を配信することを特徴とする。
【００１５】
上記課題を解決するため、請求項７記載の広告配信サーバは、請求項５又は６記載の広告配信サーバにおいて、前記制御部は、前記通信部により前記ユーザ端末から予め前記ユーザ端末の記憶部にクッキーとして保存された検索ワード情報を受信し、受信した検索ワード情報を用いて前記広告ファイルから対応する広告を読み出す第四の処理をさらに行い、前記第三の処理は、前記第一、第二、及び第四の処理のいずれか少なくとも一つの処理で読み出した広告を前記通信部により前記ユーザ端末に配信する処理であることを特徴とする。
【００１６】
上記課題を解決するため、請求項８記載の広告配信サーバは、請求項７記載の広告配信サーバにおいて、前記制御部は、前記第一乃至第二の処理が出来ない場合に、前記第三の処理及び第四の処理で広告を配信することを特徴とする。
【００１７】
上記課題を解決するため、請求項９記載の広告配信サーバは、請求項３、４、７又は８記載の広告配信サーバにおいて、前記クッキーとして保存された検索ワードは、前記広告配信サーバの制御部が前記通信部により前記ユーザ端末に送信したものであることを特徴とする。
【００１８】
上記課題を解決するため、請求項１０記載の広告配信プログラムは、ユーザ端末と通信可能で、アクセス解析対象ＷＥＢページに関する検索ワードを集計した集計結果をＷＥＢページ特定情報に関連付けて記録した検索ワード集計ファイルにアクセス可能で、広告を検索ワード条件に関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバに処理を行わせる広告配信プログラムであって、取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信する処理を行わせることを特徴とする。
【００１９】
上記課題を解決するため、請求項１１記載の広告配信プログラムは、ユーザ端末と通信可能で、広告を検索ワード条件に関連付けて記録した広告ファイルにアクセス可能で、かつユーザ端末がアクセス解析対象ＷＥＢページを表示する場合にこのアクセス解析対象ＷＥＢページに関する検索ワード情報を取得する広告配信サーバに処理を行わせる広告配信プログラムであって、取得した前記検索ワード情報を用いて前記広告ファイルから対応する広告を読み出し、読み出した広告を前記ユーザ端末に配信する処理を行わせることを特徴とする。
【００２０】
上記課題を解決するため、請求項１２記載の広告配信方法は、ユーザ端末と通信可能で、アクセス解析対象ＷＥＢページに関する検索ワードを集計した集計結果をＷＥＢページ特定情報に関連付けて記録した検索ワード集計ファイルにアクセス可能で、広告を検索ワード条件に関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバが行う広告配信方法であって、取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記ユーザ端末に配信することを特徴とする。
【００２１】
上記課題を解決するため、請求項１３記載の広告配信方法は、ユーザ端末と通信可能で、広告を検索ワード条件に関連付けて記録した広告ファイルにアクセス可能で、かつユーザ端末がアクセス解析対象ＷＥＢページを表示する場合にこのアクセス解析対象ＷＥＢページに関する検索ワード情報を取得する広告配信サーバが行う広告配信方法であって、取得した前記検索ワード情報を用いて前記広告ファイルから対応する広告を読み出し、読み出した広告を前記通信部により前記ユーザ端末に配信することを特徴とする。
【００２２】
上記課題を解決するため、請求項１４記載の広告配信サーバは、広告ファイルにアクセス可能で、ユーザ端末がアクセス解析対象ＷＥＢページを表示する場合にこのアクセス解析対象ＷＥＢページのＷＥＢページ特定情報を取得する広告配信サーバであって、前記広告ファイルは、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録したファイルであり、前記ユーザ端末と通信する通信部と、取得した前記ＷＥＢページ特定情報を用いて前記広告ファイルから広告を読み出し、読み出した広告を前記通信部により前記ユーザ端末に配信する処理を行う制御部とを備えることを特徴とする。
【００２３】
上記課題を解決するため、請求項１５記載の広告配信プログラムは、ユーザ端末と通信可能で、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバに処理を行わせる広告配信プログラムであって、取得した前記ＷＥＢページ特定情報を用いて前記広告ファイルから広告を読み出し、読み出した広告を前記ユーザ端末に配信する処理を行わせることを特徴とする。
【００２４】
上記課題を解決するため、請求項１６記載の広告配信方法は、ユーザ端末と通信可能で、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバが行う広告配信方法であって、
取得した前記ＷＥＢページ特定情報を用いて前記広告ファイルから広告を読み出し、読み出した広告を前記ユーザ端末に配信することを特徴とする。
【００２５】
上記課題を解決するため、請求項１７記載の広告配信サーバは、広告ファイルにアクセス可能な広告配信サーバであって、前記広告ファイルは、広告を検索ワード条件に関連付けて記録したファイルであり、前記ユーザ端末と通信する通信部と、ユーザ端末がアクセス解析対象ＷＥＢページを表示する場合に予め前記ユーザ端末の記憶部にクッキーとして記録された検索ワード情報を前記通信部により受信し、受信した検索ワード情報を用いて広告ファイルから対応する広告を読み出し、読み出した広告を前記通信部により前記ユーザ端末に配信する処理を行う制御部とを備えることを特徴とする。
【００２６】
上記課題を解決するため、請求項１８記載の広告配信プログラムは、ユーザ端末と通信可能で、広告を検索ワード条件に関連付けて記録した広告ファイルにアクセス可能で、かつユーザ端末がアクセス解析対象ＷＥＢページを表示する場合に予め前記ユーザ端末の記憶部にクッキーとして記録された検索ワード情報を取得する広告配信サーバに処理を行わせる広告配信プログラムであって、取得した前記検索ワード情報を用いて広告ファイルから対応する広告を読み出し、読み出した広告を前記ユーザ端末に配信する処理を行わせることを特徴とする。
【００２７】
上記課題を解決するため、請求項１９記載の広告配信方法は、ユーザ端末と通信可能で、広告を検索ワード条件に関連付けて記録した広告ファイルにアクセス可能で、かつユーザ端末がアクセス解析対象ＷＥＢページを表示する場合に予め前記ユーザ端末の記憶部にクッキーとして記録された検索ワード情報を取得する広告配信サーバが行う広告配信方法であって、取得した前記検索ワード情報を用いて広告ファイルから対応する広告を読み出し、読み出した広告を前記ユーザ端末に配信することを特徴とする。
【００２８】
上記課題を解決するため、請求項２０記載の広告配信システムは、ユーザ端末と、検索ワード集計ファイル及び広告ファイルにアクセス可能で前記ユーザ端末がアクセス解析対象ＷＥＢページを表示する場合にこのアクセス解析対象ＷＥＢページのＷＥＢページ特定情報を取得するように構成した広告配信サーバとを備える広告配信システムであって、前記検索ワード集計ファイルはアクセス解析対象ＷＥＢページに関する検索ワードを集計した集計結果をＷＥＢページ特定情報に関連付けて記録したファイルであり、前記広告ファイルは広告を検索ワード条件に関連付けて記録したファイルであり、前記広告配信サーバは、前記ユーザ端末と通信する通信部と、取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信する処理を行う制御部とを備え、前記ユーザ端末は、広告配信サーバと通信する通信部と、前記アクセス解析対象ＷＥＢページ及び広告を表示する表示部と、前記アクセス解析対象ＷＥＢページと前記通信部により受信した広告とを前記表示部に表示する処理を行う制御部とを備えることを特徴とする。
【００２９】
上記課題を解決するため、請求項２１記載の広告配信方法は、ユーザ端末と、ユーザ端末と通信可能で、アクセス解析対象ＷＥＢページに関する検索ワードを集計した集計結果をＷＥＢページ特定情報に関連付けて記録した検索ワード集計ファイルにアクセス可能で、広告を検索ワード条件に関連付けて記録した広告ファイルにアクセス可能で、かつユーザ端末がアクセス解析対象ＷＥＢページを表示する場合にこのアクセス解析対象ＷＥＢページのＷＥＢページ特定情報を取得する広告配信サーバとが行う広告配信方法であって、前記広告配信サーバは、取得した前記ＷＥＢページ特定情報を用いて前記検索ワード集計ファイルから対応する検索ワード情報を取り出し、取り出した検索ワード情報を用いて広告ファイルから対応する広告を読み出し、読み出した広告を前記通信部により前記ユーザ端末に配信し、前記ユーザ端末は、前記アクセス解析対象ＷＥＢページと前記広告配信サーバから受信した広告とを表示することを特徴とする。
【００３０】
上記課題を解決するため、請求項２２記載の広告配信システムは、ユーザ端末と、広告ファイルにアクセス可能で、ユーザ端末がアクセス解析対象ＷＥＢページを表示する場合にこのアクセス解析対象ＷＥＢページに関する検索ワード情報を取得するように構成した広告配信サーバとを備える広告配信システムであって、前記広告ファイルは、広告を検索ワード条件に関連付けて記録したファイルであり、前記ユーザ端末と通信する通信部と、取得した前記検索ワード情報を用いて前記広告ファイルから対応する広告を読み出し、読み出した広告を前記通信部により前記ユーザ端末に配信する処理を行う制御部とを備え、前記ユーザ端末は、広告配信サーバと通信する通信部と、前記アクセス解析対象ＷＥＢページ及び広告を表示する表示部と、前記アクセス解析対象ＷＥＢページと前記通信部により受信した広告とを前記表示部に表示する処理を行う制御部とを備えることを特徴とする。
【００３１】
上記課題を解決するため、請求項２３記載の広告配信方法は、ユーザ端末と、ユーザ端末と通信可能で、広告を検索ワード条件に関連付けて記録した広告ファイルにアクセス可能で、かつユーザ端末がアクセス解析対象ＷＥＢページを表示する場合にこのアクセス解析対象ＷＥＢページに関する検索ワード情報を取得する広告配信サーバとが行う広告配信方法であって、前記広告配信サーバは、取得した前記検索ワード情報を用いて前記広告ファイルから対応する広告を読み出し、読み出した広告を前記ユーザ端末に配信し、前記ユーザ端末は、前記アクセス解析対象ＷＥＢページと前記広告配信サーバから受信した広告とを表示することを特徴とする。
【００３２】
本発明において、アクセス解析対象ＷＥＢページの「ＷＥＢページ特定情報」は、アクセス解析対象ＷＥＢページを特定するための情報である。アクセス解析対象ＷＥＢページは、例えば、アクセスログに含まれるアクセス解析対象ＷＥＢページのＵＲＬが該当する。
【００３３】
この「ＷＥＢページ特定情報」を取得する方法には、例えば、この「ＷＥＢページ特定情報」を、（１）ユーザ端末から直接受信することにより取得する方法、（２）ユーザ端末から受信したアクセスログから抽出することにより取得する方法、（３）ユーザ端末からのＷＥＢページの送信要求から取得する方法、又は（４）ＷＥＢサーバ（特に広告配信サーバがＷＥＢサーバも兼ねる場合は、広告配信サーバ自身）が記録したアクセスログから取得する方法等がある。
【００３４】
本発明において、アクセス解析対象ＷＥＢページに関する「検索ワード情報」は、アクセス解析対象ＷＥＢページのリンク元が、検索エンジンで検索ワードを入力して検索した検索結果である場合のこの検索ワード（複数語の場合もある。）が該当する。リンク元が、検索結果でない場合、広告配信サーバはアクセス解析対象ＷＥＢページに関する「検索ワード情報」を取得できないことになる。
【００３５】
この「検索ワード情報」は、この検索ワード情報を用いて広告ファイルの検索ワード条件から広告を読み出せるように広告配信サーバの制御部が適宜加工した情報であっても良い。例えば、この「検索ワード情報」は、検索ワードが「メガネ及びフレーム」であった場合、「メガネを含むもの」である旨の情報等が該当する。
【００３６】
この「検索ワード情報」を取得する方法には、例えば、この「検索ワード情報」を、（１）ユーザ端末から受信したアクセスログからリンク元のＵＲＬを抽出し、リンク元のＵＲＬから検索ワードを抽出することにより取得する方法、（２）（１）で抽出した検索ワードを、前記のように広告配信サーバの制御部が適宜加工して取得する方法又は（３）ＷＥＢサーバ（特に広告配信サーバがＷＥＢサーバも兼ねる場合は、広告配信サーバ自身）が記録したアクセスログからリンク元のＵＲＬを抽出し、リンク元のＵＲＬから検索ワードを抽出することにより取得する方法等がある。
【００３７】
本発明において、検索ワード集計ファイルから取り出した「検索ワード情報」は、例えば、アクセス解析対象ＷＥＢページに関する検索ワードのうちの所定順位（例えば１位）の検索ワードが該当する。
【００３８】
この「検索ワード情報」は、例えば、アクセス解析対象ＷＥＢページに関する検索ワードのうちの複数順位（例えば１位又は２位）の検索ワード（この場合、検索ワードは一語ではなく複数語（二語）になる。）が該当する。
【００３９】
この「検索ワード情報」は、この検索ワード情報を用いて広告ファイルの検索ワード条件から広告を読み出せるように広告配信サーバの制御部が適宜加工した情報であっても良い。例えば、この「検索ワード情報」は、１位の検索ワードが「メガネ」で２位の検索ワードが「薬」であった場合、「メガネを含むもの及び又は薬を含むもの」である旨の情報等が該当する。
【００４０】
この「検索ワード情報」は、上記のアクセス解析対象ＷＥＢページに関する「検索ワード情報」と同じ内容である場合もある。
【００４１】
本発明において、ユーザ端末の記憶部にクッキーとして保存された「検索ワード情報」は、例えば、検索エンジンで検索した検索ワードをユーザ端末がクッキーとして記憶部に記録した「検索ワード情報」、例えば、ユーザ端末が広告配信サーバから以前に受信して自身の記憶部にクッキーとして保存した、アクセス解析対象ＷＥＢページに関する「検索ワード情報」、例えば、検索ワード集計ファイルから取り出した「検索ワード情報」等が該当する。この「検索ワード情報」は、上記の二つの「検索ワード情報」と同じ内容である場合もある。
【００４２】
アクセス解析対象ＷＥＢページに関する「検索ワード情報」や、検索ワード集計ファイルから取り出した「検索ワード情報」の説明は上記に準じる。
【００４３】
本発明において、「アクセス解析対象ＷＥＢページに関する検索ワード」は、アクセス解析対象ＷＥＢページのリンク元が、検索エンジンで検索ワードを入力して検索した検索結果である場合のこの検索ワード（複数語の場合もある。）が該当する。
【００４４】
本発明において、「検索ワード条件」は、検索ワード情報がどのような場合に広告を配信するかの条件をいう。例えば、「メガネ」等の検索ワードそのものや、「メガネを含むもの」、「メガネ及び又はフレーム」、「メガネを含むもの及び又は薬を含むもの」である旨の条件が該当する。
【００４５】
例えば、広告Ａに「検索ワード条件」の「メガネを含むもの」が、広告Ｂに「検索ワード条件」の「メガネ及び又はフレーム」が、広告Ｃに「検索ワード条件」の「メガネを含むもの及び又は薬を含むもの」が関連付いている場合において、「検索ワード情報」が「メガネ」であった場合、広告Ａ、広告Ｂ、広告Ｃが対応し、「検索ワード情報」が「メガネ店」であった場合、広告Ａ、広告Ｃが対応し、「検索ワード情報」が「薬を含むもの」であった場合、広告Ｃが対応する。なお、対応する広告が複数であった場合、全ての広告を配信しても良いが、どの広告を優先的に配信するかの条件を検索ワード条件に含ませても良い。
【００４６】
上記の「検索ワード情報」や「検索ワード条件」の内容については検索ワードを用いたものであれば適宜採用できる。要は「検索ワード情報」及び「検索ワード条件」が、検索ワードと配信する広告とを、本発明実施者の所定基準によって結びつけるようなものであれば良い。
【００４７】
本発明において「広告」は、広告主のリンク先、バナー等やこれらにコメントを付したもの等が該当する。
【００４８】
本発明において、アクセスログファイル、検索ワード集計ファイル、広告ファイル等に「アクセス可能」とは、装置（サーバ）内の記憶部にアクセスログファイル、検索ワード集計ファイル、又は広告ファイル等が記録されていてアクセス可能な場合だけでなく、他の装置内の記憶部にアクセスログファイル、検索ワード集計ファイル、又は広告ファイル等が記憶されていてアクセス可能な場合も含む概念である。
【００４９】
本発明において「プログラム」とは、コンピュータによって直接実行可能なものだけでなく、ハードディスクなどにインストールすることによって実行可能となるものも含む概念である。また、圧縮されたり、暗号化されたりしたものも含む概念である。
【発明の効果】
【００５０】
本発明によれば、検索ワードに関係する広告を配信するので、アクセス解析対象ＷＥＢページに適切な広告を掲載できる。
【発明を実施するための最良の形態】
【００５１】
本発明の一実施形態について図面を参照しながら説明する。
【００５２】
（第一の実施形態）
（広告配信システムの構成）
図１は本発明の一実施形態に係る広告配信システムの構成図である。
【００５３】
広告配信システムは、広告配信サーバ１０、ユーザ端末３０を備える。さらに、広告配信システムは、ＷＥＢサーバ２０、入力端末１０ａを備える。広告配信サーバ１０、ＷＥＢサーバ２０、ユーザ端末３０、入力端末１０ａは、インターネット５００を介して互いに通信可能（データの送受信が可能）となっている。
【００５４】
（ＷＥＢサーバ２０）
ＷＥＢサーバ２０は、記憶部に複数のＷＥＢページを記憶しており、ユーザ端末３０からのＷＥＢページの送信要求により、該当するＷＥＢページを送信要求元のユーザ端末３０に送信するように構成したものである。ＷＥＢページは、解析タグをデータ内に組み込んだアクセス解析対象ＷＥＢページである場合がある。ＷＥＢサーバ２０は、コンピュータ等の各種処理装置により実現する。
【００５５】
（ユーザ端末３０）
ユーザ端末３０は、ＷＥＢサーバ２０にＷＥＢページの送信要求を送信し、受信したＷＥＢページを表示部に表示するように構成したものである。受信したＷＥＢページがアクセス解析対象ＷＥＢページである場合、ユーザ端末３０は、このユーザ端末３０のクッキーとして保存した検索ワード情報、アクセスログを広告配信サーバ１０に送信し、広告配信サーバ１０から広告を受信し、この広告とアクセス解析対象ＷＥＢページとを表示部に表示する（図９（Ｃ）参照）。ユーザ端末３０は、ＰＣ（パーソナルコンピュータ）等のコンピュータ等の各種処理装置により実現する。
【００５６】
（広告配信サーバ１０）
広告配信サーバ１０は、ユーザ端末３０から受信したクッキーとして保存した検索ワード情報、アクセスログを用いてユーザ端末３０に適した広告をユーザ端末３０に配信するように構成したものである。広告配信サーバ１０は、コンピュータ等の各種処理装置により実現する。
【００５７】
（入力端末１０ａ）
入力端末１０ａは、広告配信サーバ１０にデータを入力するものである。データは広告及び検索ワード条件を含む。入力端末１０ａは、コンピュータ等の各種処理装置により実現する。入力端末１０ａは、広告配信サーバ１０と直接通信しても良く、広告配信サーバ１０にその機能を含ませても良い。
【００５８】
（広告配信サーバ１０の構成）
図２は、広告配信サーバ１０の構成を示す図である。
【００５９】
広告配信サーバ１０は、制御部２０１、通信部２０２、記憶部２０３、入出力部２０５を適宜備える。
【００６０】
通信部２０２は、モデム等により実現され、インターネット５００に接続する。通信部２０２により、所定のデータが適宜送受信される。
【００６１】
入出力部２０５は、ディスプレイ、タッチパネル等により構成される表示部（図示せず）を有する。入出力部２０５は、データの入力、命令、データの出力等の入出力を行うものであり、キーボード、マウス等の適した入力装置や、上記ディスプレイ等の出力装置や、上記タッチパネル等の入出力装置等を適宜組み合わせて実現される。
【００６２】
記憶部２０３は、アクセスログファイル、検索ワード集計ファイル及び広告ファイル、各種データ、各種プログラム（例えば通信部２０２から受信し制御部２０１が記録するデータ、プログラム等）等を適宜記憶する。記憶部２０３は、例えばハードディスク等の記憶装置により実現される。アクセスログファイル、検索ワード集計ファイル及び広告ファイルは、広告配信サーバ１０の外部にある記憶部に記録しても良い。
【００６３】
制御部２０１は、下記の処理を行うものである。制御部２０１は、ＣＰＵ、メインメモリ及びメインメモリに展開されたプログラム（広告配信プログラム（ＯＳや他のプログラムと協働しても良い。）等）によって実現される。制御部２０１は、各種モジュール等で実現しても良い。制御部２０１は、アクセスログファイル、検索ワード集計ファイル及び広告ファイルにアクセス可能である。
【００６４】
アクセスログファイルは、アクセスログを順次蓄積したものであり、例えばＤＢ化されている。検索ワード集計ファイルは、アクセス解析対象ＷＥＢページに関する検索ワード等を集計した集計結果をＷＥＢページ特定情報に関連付けて記録したものであり、例えばＤＢ化されている。広告ファイルは、広告を検索ワード条件に関連付けて記録したものであり、例えばＤＢ化されている。
【００６５】
（ＷＥＢサーバ２０の構成）
ＷＥＢサーバ２０は、制御部、通信部、記憶部、入出力部を適宜備えるが、広告配信サーバ１０の構成と略同様の構成を取ることが出来るので、詳しい説明は省略する。
【００６６】
但し、記憶部は、上記アクセスログファイル、検索ワード集計ファイル及び広告ファイルにかえて、ＷＥＢページ（ＨＴＭＬ、ＸＭＬ、画像等のＷＥＢページデータ）を記録したＷＥＢページファイルを記録する。ＷＥＢページファイルは、広告配信サーバ１０の外部にある記憶部に記憶しても良い。ＷＥＢページファイルは、ユーザ端末３０の送信要求により送信要求元のユーザ端末に送信するＷＥＢページを記録したものである。
【００６７】
制御部は、主に下記の処理を行う。制御部は、ＣＰＵ、メインメモリ及びメインメモリに展開されたプログラム（ＷＥＢサーバプログラム（ＯＳや他のプログラムと協働しても良い。）等）によって実現される。制御部は、各種モジュール等で実現しても良い。制御部は、ＷＥＢページファイルにアクセス可能である。
【００６８】
（ユーザ端末３０の構成）
図３は、ユーザ端末３０の構成を示す図である。
【００６９】
ユーザ端末３０は、制御部３０１、通信部３０２、記憶部３０３、入出力部３０５を適宜備える。
【００７０】
通信部３０２、入出力部３０５は、通信部２０２、入出力部２０５と略同様であるので説明を省略する。
【００７１】
記憶部３０３は、各種データ、各種プログラム等（例えば通信部３０２から受信し制御部３０１が記録するデータやユーザ端末３０ではクッキーとして保存する検索ワード情報）を適宜記憶する。記憶部３０３は、例えばハードディスク等の記憶装置により実現される。
【００７２】
制御部３０１は、ブラウザ３０７及び解析部３０８を備える。
【００７３】
ブラウザ３０７は、ＷＥＢページの表示する、記憶部３０３にクッキーとして検索ワード情報を記録する等を行う。ブラウザ３０７は、通信部３０２を介して送受信する各種データを処理するものである。解析部３０８は、アクセスログをブラウザ３０７から取得して、ブラウザ３０７及び通信部３０２を介して広告配信サーバ１０に送信する。
【００７４】
制御部３０１のブラウザ３０７は、ＣＰＵ、メインメモリ及びメインメモリに展開されたプログラム（ブラウザプログラム（ＯＳや他のプログラムと協働しても良い。）等）によって実現される。
【００７５】
制御部３０１の解析部３０８は、ＣＰＵ、メインメモリ及びメインメモリに展開されたプログラム（アクセスログ取得プログラム（ＯＳや他のプログラムと協働しても良い。）等）によって実現される。
【００７６】
制御部３０１のブラウザ３０７、解析部３０８、又は制御部３０１全体は、各種モジュール等で実現しても良い。
【００７７】
（入力端末１０ａの構成）
入力端末１０ａは、制御部、通信部、記憶部、入出力部を適宜備えるが、ユーザ端末３０の構成と略同様の構成を取ることが出来るので、詳しい上記に準じる。
【００７８】
制御部は、主に下記の処理を行う（ブラウザ３０７、解析部３０８は特に必要でない）。制御部は、ＣＰＵ、メインメモリ及びメインメモリに展開されたプログラム（入力端末プログラム（ＯＳや他のプログラムと協働しても良い。）等）によって実現される。制御部は、各種モジュール等で実現しても良い。
【００７９】
（広告配信サーバ１０のハードウェア構成）
図４は、広告配信サーバ１０の構成部材をＣＰＵ等の装置によって実現した構成をハードウェア構成図である。
【００８０】
広告配信サーバ１０は、ＣＰＵ４０１、通信部２０２、メインメモリ４０３、ハードディスク４０４、入力装置４０５、出力装置４０６を適宜備える。
【００８１】
ハードディスク４０４は、アクセスログファイル、検索ワード集計ファイル及び広告ファイル、広告配信プログラム、各種プログラム、各種データ、ＯＳ（オペレーティングシステム）を適宜記憶する。メインメモリ４０３には、広告配信プログラム等が適宜展開される。メインメモリ４０３には、ＣＰＵ４０１の作業領域も設けられる。
【００８２】
（ＷＥＢサーバ２０のハードウェア構成）
ＷＥＢサーバ２０は、ＣＰＵ、通信部、メインメモリ、ハードディスク、入力装置、出力装置を適宜備えるが、広告配信サーバ１０のハードウェア構成と略対応する構成を取ることが出来るので、詳しい説明は省略する。
【００８３】
但し、ハードディスクは、ＷＥＢサーバプログラム、各種プログラム、各種データ、ＯＳ（オペレーティングシステム）を適宜記憶する。メインメモリには、ＷＥＢサーバプログラム等が適宜展開される。
【００８４】
（ユーザ端末３０のハードウェア構成）
ユーザ端末３０は、ＣＰＵ、通信部、メインメモリ、ハードディスク、入力装置、出力装置を適宜備えるが、広告配信サーバ１０のハードウェア構成と略対応する構成を取ることが出来るので、詳しい説明は省略する。
【００８５】
但し、ハードディスクは、ブラウザプログラム、アクセスログ取得プログラム、各種プログラム、各種データ、ＯＳ（オペレーティングシステム）を適宜記憶する。メインメモリには、ブラウザプログラム、アクセスログ取得プログラム等が適宜展開される。
【００８６】
アクセスログ取得プログラムは上記のように解析部を構成するものである。例えば、ユーザ端末３０が解析タグを設けたアクセス解析対象ＷＥＢページをＷＥＢサーバ２０から受信したときに、解析タグがアクセスログ取得プログラムとなり、メインメモリに展開される（解析部が生成される）。
【００８７】
（入力端末１０ａのハードウェア構成）
入力端末１０ａは、制御部、通信部、記憶部、入出力部を備えるが、広告配信サーバ１０の構成に略対応する構成を取ることが出来るので、詳しい説明は省略する。
【００８８】
但し、ハードディスクは、入力端末プログラム、各種プログラム、各種データ、ＯＳ（オペレーティングシステム）を記憶する。メインメモリには、入力端末プログラム等が適宜展開される。
【００８９】
（広告配信処理例）
図５は、本発明の一実施形態に係る広告配信システムの処理例を示す処理手順図である。図９（ａ）乃至（ｃ）はユーザ端末３０が表示部に表示する画面の流れを順に示す図である。
【００９０】
広告配信サーバ１０の制御部２０１（本広告配信処理では適宜広告配信サーバ１０という。）、ＷＥＢサーバ２０の制御部（本広告配信処理では適宜ＷＥＢサーバ２０という。）、ユーザ端末３０のブラウザ３０７（本広告配信処理では適宜ブラウザ３０７という。）、及びユーザ端末３０の解析部３０８（本広告配信処理では適宜解析部３０８という。）は、以下の処理を行う。
【００９１】
（ステップ５０１）
ブラウザ３０７はユーザ端末３０の表示部に検索エンジン（ＹＡＨＯＯ！（登録商標）等）の画面を表示する（図９（ａ）参照）。ユーザが、検索エンジンの画面上の検索ワード入力テキストエリア９０１にユーザ端末３０の入出力部から、検索ワードの入力、及び検索ボタンの選択を行うと、ブラウザは、検索ワードの送信を行う。
【００９２】
（ステップ５０２）
ＷＥＢサーバ２０は、検索ワードを受信するとこの検索ワードの検索結果を送信する。
【００９３】
（ステップ５０３）
ブラウザ３０７は、検索結果を受信すると検索結果をユーザ端末３０の表示部に表示する（図９（ｂ）参照）。
【００９４】
（ステップ５０４）
ユーザが、検索結果内のＷＥＢページＡ（このＷＥＢページＡは、解析タグを設けたアクセス解析対象ＷＥＢページであることとする。）をユーザ端末３０の入出力部から選択すると、ブラウザ３０７は、ＷＥＢページＡの送信要求を行う。特にＷＥＢページＡのＵＲＬ等を送信して送信要求を行う。
【００９５】
（ステップ５０５）
ＷＥＢサーバ２０はＷＥＢページＡの送信要求を受けると、ＷＥＢページＡをＷＥＢページファイルから読み出して送信元のユーザ端末３０に送信する。
【００９６】
（ステップ５０６）
ブラウザ３０７がＷＥＢページＡを受信し表示する場合、このＷＥＢページＡは解析タグを設けたアクセス解析対象ＷＥＢページであるので、解析部３０８が生成される。解析部３０８はブラウザ３０７にアクセスログ及びクッキーとして保存された検索ワードＣ及び検索ワードＤを送信させる。
【００９７】
ブラウザ３０７に送信させるアクセスログは、ブラウザ３０７が記憶部３０３に適宜記憶したものであり、ブラウザ３０７が読み出す。ここで、図１０は、アクセスログの項目例の一例である。アクセスログの項目については適宜採用できるが、例えばリンク元のＵＲＬである「リファラ」及びＷＥＢページＡのＵＲＬ（アクセス解析対象ＷＥＢページのＵＲＬ）である「リクエストＵＲＬ」を採用する。
【００９８】
ブラウザ３０７に送信させるクッキーとして保存された検索ワードＣ及び検索ワードＤは、ブラウザ３０７が記憶部３０３に適宜記憶したものであり、例えば、以前に検索エンジンで検索した検索ワードをブラウザ３０７がクッキーとして記憶部３０３に記録したものや、以前に行われた広告配信処理において後述のステップ５１１及びステップ５１５に相当するステップでクッキーとして記憶部３０３に記録したものである。ここでは、ステップ５１１に相当するステップでクッキーとして記憶部３０３に記録したものを検索ワードＣとし、ステップ５１５に相当するステップでクッキーとして記憶部３０３に記録したものを検索ワードＤとする。
【００９９】
このように、クッキーにとして保存された検索ワード情報は、ユーザ端末３０で用いられた検索ワードである場合があり、この場合、ユーザ端末３０を操作するユーザが興味のある検索ワードになる。
【０１００】
（ステップ５０７）
アクセスログを受信した広告配信サーバ１０は、アクセスログファイルに受信したアクセスログを記録（蓄積）する。
【０１０１】
（ステップ５０８）
広告配信サーバ１０は、アクセスログのリファラから検索ワードＡを抽出（取得）する。ここで、図１１は、検索エンジン「ＹＡＨＯＯ！」（登録商標）でメガネを検索した場合のリファラである。丸で囲った部分１１１から検索ワードＡ（ここでは、Ａは「メガネ」）を抽出できる。
【０１０２】
（ステップ５０９）
広告配信サーバ１０は、抽出した（取得した）検索ワードＡ（ＷＥＢページＡに関する検索ワード情報）を用いて、広告ファイルから対応する広告を読み出す。
【０１０３】
ここで、図１２は広告ファイル内容の一例である。広告ファイルには、広告が検索ワード条件に関連付けて記録されている。
【０１０４】
ここでは、検索ワードＡは広告条件「Ａ及び又はＢ」に該当するので、これに関連する広告Ａを読み出す。広告条件「Ａ及び又はＢ」は、検索ワードが「Ａ」、「Ｂ」、「Ａ  Ｂ」のいずれかの場合が該当する。
【０１０５】
このように、取得した検索ワード情報（検索ワードＡ）を用いて広告ファイルから対応する広告（広告Ａ）を読み出してユーザ端末３０に配信すれば、ユーザ端末３０のユーザの興味に沿った適切な広告を配信できる。この検索ワード情報はユーザ端末３０を操作するユーザが検索エンジンに検索ワードとして入力したものを用いたものであり、ＷＥＢページＡを閲覧する（選択した）ユーザの興味を表したものと言えるからである。また、広告Ａは、ＷＥＢページＡと一見何の関連性がないように見える可能性もあるが、ＷＥＢページＡの閲覧までに検索ワードＡが入力されているので、広告Ａはユーザの興味のある広告である可能性が高い。このため、ユーザの興味に沿った適切な広告を配信できる。
【０１０６】
（ステップ５１０乃至５１１）
広告配信サーバ１０は、抽出した検索ワードＡをユーザ端末に送信する。ブラウザ３０７は受信した検索ワードＡを記憶部３０３にクッキーＡとして保存する。この検索ワードＡは、例えば、次回の広告配信処理に使用（次回の処理では検索ワードＣに対応する。）される。
【０１０７】
（ステップ５１２）
広告配信サーバ１０は、アクセスログからＵＲＬ（リクエストＵＲＬ）を抽出（取得）し、このＵＲＬ（ＷＥＢページ特定情報）を用いて検索ワード集計ファイルから対応する検索ワード情報を取り出す。
【０１０８】
図１３は検索ワード集計ファイル内容の一例である。検索ワード集計ファイルは、アクセス解析対象ＷＥＢページに関する検索ワードを集計した集計結果をＷＥＢページ特定情報に関連付けて記録したファイルである。図１３では、検索ワード集計ファイルはＷＥＢページＡについての集計結果のみとなっているが、複数のＷＥＢページについての集計結果について記録しても良い。
【０１０９】
「更新日付」は、検索ワード集計ファイルを更新した日付（アクセス解析対象ＷＥＢページに関する検索ワードを集計した日付）を示す。「所定ＵＲＬ」は、アクセス解析対象ＷＥＢページのＵＲＬを示し、ここではＷＥＢページＡのＵＲＬを示す。「サーチエンジン」は、アクセス解析対象ＷＥＢページ（ＷＥＢページＡ）のリンク元の検索エンジンを示す。「検索ワード」は、リンク元が検索結果である場合にこの検索に用いられた検索ワードを示す。「検索カウンター」は、アクセス解析対象ＷＥＢページ（ＷＥＢページＡ）が閲覧された回数を示す。
【０１１０】
例えば、検索エンジン「ｇｏｏｇｌｅ」（登録商標）で検索ワード「Ｂ  Ｆ」を用い、検索した検索結果に表示された「ＷＥＢページＡ」を選択して、ＷＥＢページＡが閲覧された回数は、１０，００１回になる。
【０１１１】
「Ｂ  Ｆ」は、検索ワードを例えば「メガネ  フレーム」とした場合のように、検索ワードに、スペースを挟んだ２語（Ｂ及びＦ）が用いられたことを示す。
【０１１２】
「ｎｏｎｅ」は、検索エンジンを経由せずにＷＥＢページＡが閲覧された回数を示す。すなわち、他のＷＥＢページに表示されたリンクを選択するか、直接ＵＲＬを入力することにより、ＷＥＢページＡが閲覧された場合を示したものである。図１３では、この回数が１００回になっている。
【０１１３】
ＷＥＢページＡについての集計結果をみると、ＷＥＢページＡに関する検索ワードとして、検索ワードＢが一番用いられていることが分かる（１０，０１２回＋１０，００１回）。このため、ＷＥＢページＡに関する検索ワード１位のこの検索ワードＢをＵＲＬ（ＷＥＢページ特定情報）に対応する検索ワード情報として読み出す（取り出す）。なお、「Ｂ  Ｆ」を「Ｂ」とは別ワードとしてカウントしても良い。集計結果の検索ワードをどのようにカウントして検索ワード情報として読み出すか（取り出すか）は適宜決定できる。
【０１１４】
アクセス解析対象ＷＥＢページに関する検索ワードを集計した集計結果により、どのような興味を持ったユーザがこのアクセス解析対象ＷＥＢページを閲覧したかの傾向がわかる。
【０１１５】
（ステップ５１３）
広告配信サーバ１０は、検索ワードＢを用いて広告ファイルから対応する広告を読み出す。ここでは、検索ワードＢは広告条件「Ａ及び又はＢ」に該当する（図１２参照）ので、これに関連する広告Ａを読み出す。
【０１１６】
このように、取得したＷＥＢページ特定情報（ＷＥＢページＡのＵＲＬ）を用いて検索ワード集計ファイルから対応する検索ワード情報（検索ワードＢ）を取り出し、取り出した検索ワード情報（検索ワードＢ）を用いて広告ファイルから対応する広告Ａを読み出して、ユーザ端末３０に配信すれば、ユーザ端末３０のユーザが興味のある可能性の高い適切な広告を配信できる。集計結果により、どのような興味を持ったユーザがこのアクセス解析対象ＷＥＢページを閲覧したかの傾向がわかり、これを利用して広告を配信するからである。
【０１１７】
また、広告Ａは、ＷＥＢページＡとは、一見何の関連性がないように見える可能性もあるが、集計結果を用いるため、広告Ａはユーザの興味のある広告である可能性が高い。このため、ユーザの興味がある可能性が高い適切な広告を配信できる。
【０１１８】
また、取得したＷＥＢページ特定情報（ＷＥＢページＡのＵＲＬ）を用いて検索ワード集計ファイルから対応する検索ワード情報（検索ワードＢ）を取り出し、取り出した検索ワード情報（検索ワードＢ）を用いて広告ファイルから対応する広告Ａを読み出して、ユーザ端末３０に配信すれば、検索ワード集計ファイルが更新されても最新の傾向に対応した広告を配信できる。さらに、この方法によれば、アクセス解析対象ＷＥＢページのリンク元が検索結果で無い場合にも適用できる。
【０１１９】
（ステップ５１４及び５１５）
広告配信サーバ１０は、抽出した検索ワードＢをユーザ端末に送信する。ブラウザ３０７は受信した検索ワードＢを記憶部３０３にクッキーＢとして保存する。この検索ワードＢは、例えば、次回の広告配信処理に使用（次回の処理では検索ワードＤに対応する。）される。
【０１２０】
（ステップ５１６）
広告配信サーバ１０は、検索ワードＣを用いて広告ファイルから対応する広告を読み出す。ここでは、検索ワードＣは広告条件「Ｃをふくむもの」に該当する（図１２参照）ので、これに関連する広告Ｂを読み出す。
【０１２１】
このように、ユーザ端末３０がＷＥＢページＡ（アクセス解析対象ＷＥＢページ）を表示する場合に予めユーザ端末３０の記憶部３０３にクッキーとして記録された検索ワードＣ（検索ワード情報）を通信部３０２により受信し、受信した検索ワード情報を用いて広告ファイルから対応する広告Ｂを読み出し、ユーザ端末３０に配信すれば、ユーザ端末３０のユーザが興味のある可能性の高い適切な広告を配信できる。検索ワードＣは上記の検索ワードＡに対応し、以前にユーザが検索エンジンに検索ワードとして入力したものを用いたものであり、以前ユーザが興味を持っていた（持っている）ものと言えるからである。
【０１２２】
また、広告Ｂは、ＷＥＢページＡと一見何の関連性がないように見える可能性もあるが、検索ワードＣが入力されているので、広告Ａはユーザが興味を持っていた（持っている）広告である可能性が高い。このため、ユーザの興味がある可能性が高い適切な広告を配信できる。さらに、この方法によれば、アクセス解析対象ＷＥＢページのリンク元が検索結果で無い場合にも適用できる。
【０１２３】
（ステップ５１７）
広告配信サーバ１０は、検索ワードＤを用いて広告ファイルから対応する広告を読み出す。ここでは、検索ワードＤは広告条件「Ｄ」に該当する（図１２参照）ので、これに関連する広告Ｃを読み出す。
【０１２４】
このように、ユーザ端末３０がＷＥＢページＡ（アクセス解析対象ＷＥＢページ）を表示する場合に予めユーザ端末３０の記憶部３０３にクッキーとして記録された検索ワードＤ（検索ワード情報）を通信部３０２により受信し、受信した検索ワード情報を用いて広告ファイルから対応する広告Ｂを読み出し、ユーザ端末３０に配信すれば、ユーザ端末３０のユーザが興味のある可能性の高い適切な広告を配信できる。検索ワードＤは上記の検索ワードＢに対応し、（以前の）集計結果により、どのような興味を持ったユーザがこのアクセス解析対象ＷＥＢページを閲覧したかの（以前の）傾向がわかり、これを利用して広告を配信するからである。
【０１２５】
また、広告Ｃは、ＷＥＢページＡと一見何の関連性がないように見える可能性もあるが、集計結果を用いるため、検索ワードＤは上記の検索ワードＢに対応し、（以前の）集計結果により、どのような興味を持ったユーザがこのアクセス解析対象ＷＥＢページを閲覧したかの（以前の）傾向がわかり、ユーザの興味のある広告である可能性がある。このため、ユーザの興味がある可能性がある適切な広告を配信できる。さらに、この方法によれば、アクセス解析対象ＷＥＢページのリンク元が検索結果で無い場合にも適用できる。
【０１２６】
（ステップ５１８）
広告配信サーバ１０は、広告ファイルから読み出した広告をユーザ端末３０に送信する。
【０１２７】
処理１（ステップ５０８乃至５０９の処理）、処理２（ステップ５１２乃至５１３の処理）、処理３（ステップ５１６の処理）、又は処理４（ステップ５１７の処理）で読み出した広告は、少なくとも二つ以上が同じである場合もあるし、全て異なる場合もある。
【０１２８】
アクセス解析対象ＷＥＢページに掲載できる広告の数に合うように適宜の方法で広告を選択して送信しても良い。また、処理１乃至４に優先順位を付けて、優先順位の順に従って、適宜広告を配信しても良い。処理１乃至４は、番号の若い順で、広告が適切である可能性が高いので、処理１、２、３、４の順を優先順位としても良い。このように、四つの処理を処理１、２、３、４の順の優先順位で行うことにより、適切な広告を安定して配信できる。ここでは、優先順位１位である処理１で読み出した広告Ａを送信する。
【０１２９】
処理１乃至４の中で、条件によっては、処理できない場合がある。例えば処理１においては、検索ワード情報を取得できない場合や、検索ワード情報に対応する広告が無いため（すなわち検索ワード条件が無い場合）に広告ファイルから広告を読み出せない場合がある。例えば処理２においては、検索ワード情報に対応する広告が無いため（すなわち検索ワード条件が無い場合）に広告ファイルから広告を読み出せない場合がある。例えば処理３においては、検索ワードＣ（検索ワード情報）が無い場合、検索ワード情報に対応する広告が無いため（すなわち検索ワード条件が無い場合）に広告ファイルから広告を読み出せない場合がある。例えば処理４においては、検索ワードＤ（検索ワード情報）が無い場合、検索ワード情報に対応する広告が無いため（すなわち検索ワード条件が無い場合）に広告ファイルから広告を読み出せない場合がある。処理出来ない場合は、適宜その処理を中止し、他の処理を行えばよい。また、処理１乃至４を適宜選択して処理しても良い。
【０１３０】
なお、ステップ５０７乃至５１７の順序は適宜変更しても良い。処理１乃至４を適宜選択して行っても良い。また、例えば処理１が終了してから広告を送信するように、処理が終了する毎に広告を送信しても良い。
【０１３１】
（ステップ５１９）
ブラウザ３０７は、受信したＷＥＢページＡと広告Ａとを表示部に表示する（図９（ｃ）参照）。ＷＥＢページＡには、広告Ａが広告９０３として掲載されている。
【０１３２】
（検索ワード集計処理例）
図６は、広告配信サーバ１０の検索ワード集計処理例を示す処理手順図である。
【０１３３】
広告配信サーバ１０の制御部２０１（検索ワード集計処理例では適宜広告配信サーバ１０という。）は、以下の処理を行う。
【０１３４】
なお、この処理は、例えば現在行われている所謂アクセス解析と同様の方法を用いることが出来る。この処理は、広告配信サーバ１０が例えば毎日所定の時間（例えば夜間）に定期的に行う（所謂バッジ式）。
【０１３５】
また、上記のステップ５０７で新しいアクセスログが記録された時点で行っても良い。これにより、最新の集計結果を用いて広告を配信できる。
【０１３６】
（ステップ６０１）
広告配信サーバ１０は、アクセスログファイルからアクセスログを読み出す。例えばリクエストＵＲＬ毎に読み出す。当然広告配信サーバ１０は、アクセスログを複数のユーザ端末３０から受信してアクセスログファイルに記録している。
【０１３７】
（ステップ６０２及びステップ６０３）
読み出したアクセスログをリクエストＵＲＬ毎に集計して、検索ワード集計ファイルに記録する。リクエストＵＲＬ毎に記録した集計結果については、例えば図１３のようになる。なお、図１３では、検索エンジン毎に区別して集計しているが、検索エンジン毎に区別しなくても良い。また、「Ｂ」と「Ｂ  Ｆ」も区別しているが、「Ｂ  Ｆ」をそれぞれ「Ｂ」と「Ｆ」それぞれとして集計しても良い。また、「Ｂ  Ｆ」を「Ｂを含むもの」として集計しても良い。
【０１３８】
（広告入力処理例）
図７は、広告配信サーバ１０及び入力端末１０ａを用いた広告入力処理例を示す処理手順図である。
【０１３９】
（ステップ７０１及び７０２）
入力端末１０ａは、表示部に広告、検索ワード条件の入力画面を表示して、広告、検索ワード条件の入力を促す。入力部から広告、検索ワード条件が入力されると、これを広告配信サーバ１０に送信する。
【０１４０】
（ステップ７０３）
広告配信サーバ１０は、広告、検索ワード条件を受信すると、広告を検索ワード条件に関連付けて広告ファイルに記録（格納）する。
【０１４１】
広告入力処理を複数回行った広告ファイルの内容例が図１２である。
【０１４２】
なお、広告に関連付けて広告配信期間やクリック回数を記録しておき、広告配信期間やユーザが広告を選択した数（この場合、ステップ５１９後、ユーザ端末３０で広告がクリック等により選択されると選択された旨の情報をユーザ端末３０のブラウザ３０７が広告配信サーバ１０に送信し、これを受信した広告配信サーバ１０が対応する広告の選択した数を更新する。）により広告配信を終了するようにしても良い。これにより、広告主の予算に応じた広告配信が可能になる。
【０１４３】
（第二の実施形態）
基本的な構成及び処理は上記第一の実施形態と同様であるが、第二の実施形態では、第一の実施形態における広告ファイルに加えて又は変えて、検索ワード条件に対応したアクセス解析対象ＷＥＢページに関する検索ワードの集計結果を有するアクセス解析対象ＷＥＢページのＷＥＢページ特定情報に前記検索ワード条件に対応する広告を関連付けて記録した広告ファイルＡを用いても良い。
【０１４４】
（広告入力処理例）
図８は、第二の実施形態に係る広告配信サーバ１０及び入力端末１０ａを用いた広告入力処理例を示す処理手順図である。なお、検索ワード集計ファイルは、第一の実施形態の検索ワード集計ファイルを用いることが出来る（複数のＷＥＢページ特定情報に対応して集計結果を記録したもの）。
【０１４５】
（ステップ８０１及び８０２）
入力端末１０ａは、表示部に広告、検索ワード条件の入力画面を表示して、広告、検索ワード条件の入力を促す。入力部から広告、検索ワード条件が入力されると、これを広告配信サーバ１０に送信する。
【０１４６】
（ステップ８０３）
広告配信サーバ１０は、広告、検索ワード条件を受信すると、検索ワード条件を用いてＵＲＬ（ＷＥＢページ特定情報）を検索ワード集計ファイルから読み出す。検索ワード条件を「Ｂ及び又はＣ」とした場合、この条件の検索カウンターの多い例えば１位（又は上位）の（検索ワード条件に対応したアクセス解析対象ＷＥＢページに関する検索ワードの集計結果を有する）ＵＲＬ（複数でもよい。）を読み出す。
【０１４７】
（ステップ８０４）
広告配信サーバ１０は、受信した広告を読み出したＵＲＬと関連付けて広告ファイルＡに記録（格納）する。
【０１４８】
図１４は、広告ファイルＡの内容例を示す図である。この広告入力処理例を複数回繰り返すと図１４のような内容の広告ファイルが出来る。なお、図１４では、さらに検索ワード条件も、広告及び又はＷＥＢページ特定情報に関連付けて記録されている。
【０１４９】
（広告配信処理例）
第二の実施形態に係る広告配信処理例は、第一の実施形態に係る広告配信処理例と基本的に同様であるので詳しい説明を省略するが、基本的には広告ファイルＡをさらに加えて、上記ステップ５１３を省略してステップ５１２で広告ファイルＡから広告を直接読み出す（本広告配信処理例では、処理Ａという。）。
【０１５０】
処理Ａは、ステップ５１２及びステップ５１３に加えて行っても良い。また、広告ファイルに変えて広告ファイルＡを用いてもよく、この場合、基本的に処理１乃至４を行うことが出来ないが、図１４のようにさらに検索ワード条件も広告及び又はＷＥＢページ特定情報に関連付けて広告ファイルＡに記録されている場合は、処理１乃至４も行うことが出来る。処理Ａは、ステップ５０８乃至５１７の間のどこに入れても良い。また、処理１乃至４及び処理Ａのうちの処理は適宜選択しても良い。
【０１５１】
処理１乃至４及び処理Ａは、処理１、２、Ａ、３、４の順で、広告が適切である可能性が高いので、処理１、２、Ａ、３、４の順を優先順位としても良い（順序は適宜変更できる）。このように、五つの処理を処理１、２、Ａ、３、４の順の優先順位で行うことにより、適切な広告を安定して配信できる。
【０１５２】
このように、取得したＷＥＢページ特定情報を用いて広告ファイルＡから広告を読み出してユーザ端末３０に配信することにより、ユーザ端末３０のユーザが興味のある可能性の高い適切な広告を配信できる。集計結果により、どのような興味を持ったユーザがこのアクセス解析対象ＷＥＢページを閲覧したかの傾向がわかり、これを利用して広告を配信するからである。また、ＷＥＢページ特定情報に関する検索ワードについて、突発的な変化があってもこれに影響せずに安定して適切な広告を配信することが出来る。
【０１５３】
また、配信する広告は、アクセス解析対象ＷＥＢページとは、一見何の関連性がないように見える可能性もあるが、集計結果を用いるため、広告はユーザの興味のある広告である可能性が高い。このため、ユーザの興味がある可能性が高い適切な広告を配信できる。
【０１５４】
（変形例）
なお、第一の実施形態及び第二の実施形態の広告配信サーバ１０は、ＷＥＢサーバ２０であっても良い。この場合、広告配信サーバ１０には、ＷＥＢサーバ２０の機能が付加され、ＷＥＢサーバ２０としても機能する。この場合、上記第一の実施形態及び第二の実施形態の広告配信サーバ１０がＷＥＢサーバ２０と同一の装置により実現されていると考えられるので、このように構成、処理等を適宜変更する他は、上記第一の実施形態及び第二の実施形態に準じる。
【０１５５】
なお、アクセスログについては、第一の実施形態及び第二の実施形態の場合に加えて、ＷＥＢサーバ２０（すなわち広告配信サーバ１０）が適宜記録（取得）しているものを用いることが出来る。また、ＷＥＢページ特定情報は、第一の実施形態及び第二の実施形態の場合に加えて、ユーザ端末からのＷＥＢページの送信要求から取得してもよい。
【０１５６】
さらに、アクセス解析対象ＷＥＢページは、広告配信サーバ１０自身が管理できるため、上記の解析タグを設けなくても良い場合がある。この場合、アクセス解析対象ＷＥＢページには、アクセス解析の対象である旨の識別子を付加してもよい。
【０１５７】
（その他）
第一乃至第二の実施形態及び変形例では、アクセス解析対象ＷＥＢページに適した広告を配信（掲載）できるので、これを用いて、アクセス解析対象ＷＥＢページの管理者に広告掲載料を支払うことが出来るという新たな広告配信事業を提供できる。
【０１５８】
変形例では、広告配信サーバ１０がアクセス解析対象ＷＥＢページに広告を掲載してからアクセス解析対象ＷＥＢページと広告とをユーザ端末３０に配信するようになるため、この広告欄（広告を掲載する部分）についても検索ロボットの調査対象にできる。また、第一乃至第二の実施形態においても、解析タグをＷＥＢページに設ける際に所定の処理を施すことにより、広告欄についても検索ロボットの調査対象にできる。
【０１５９】
なお、アクセスログの中には、アクセス解析対象ＷＥＢページを閲覧するユーザ端末の地域を特定できる情報が一緒に含まれる場合がある。例えば、リモートホストの情報から得られる場合がある。この場合、広告ファイルの検索ワード条件に地域情報も含ませ、さらに検索ワード情報に地域情報を含ませ、該当する地域について広告を配信するようにしても良い。これにより、ユーザ端末の地域に対応する、適した広告をユーザ端末に配信できる。
【図面の簡単な説明】
【０１６０】
【図１】本発明の一実施形態に係る広告配信システムの構成図である。
【図２】広告配信サーバ１０の構成を示す図である。
【図３】ユーザ端末３０の構成を示す図である。
【図４】広告配信サーバ１０の構成部材をＣＰＵ等の装置によって実現した構成をハードウェア構成図である。
【図５】本発明の一実施形態に係る広告配信システムの処理例を示す処理手順図である。
【図６】広告配信サーバ１０の検索ワード集計処理例を示す処理手順図である。
【図７】広告配信サーバ１０及び入力端末１０ａを用いた広告入力処理例を示す処理手順図である。
【図８】第二の実施形態に係る広告配信サーバ１０及び入力端末１０ａを用いた広告入力処理例を示す処理手順図である。
【図９】（ａ）乃至（ｃ）はユーザ端末３０が表示部に表示する画面の流れを順に示す図である。
【図１０】アクセスログの項目例の一例である。
【図１１】検索エンジン「ＹＡＨＯＯ！」（登録商標）でメガネを検索した場合のリファラである。
【図１２】広告ファイル内容の一例である。
【図１３】検索ワード集計ファイル内容の一例である。
【図１４】広告ファイルＡの内容例を示す図である。
【符号の説明】
【０１６１】
１０  広告配信サーバ
３０  ユーザ端末
２０１  制御部
２０２  通信部
３０１  制御部
３０２  通信部
３０３  記憶部
【図１】
2008009582.tif 000003
【図２】
2008009582.tif 000004
【図３】
2008009582.tif 000005
【図４】
2008009582.tif 000006
【図５】
2008009582.tif 000007
【図６】
2008009582.tif 000008
【図７】
2008009582.tif 000009
【図８】
2008009582.tif 000010
【図９】
2008009582.tif 000011
【図１０】
2008009582.tif 000012
【図１１】
2008009582.tif 000013
【図１２】
2008009582.tif 000014
【図１３】
2008009582.tif 000015
【図１４】
2008009582.tif 000016